(57)【要約】【課題】  薄型の分岐ブレーカが組み付けられた分電盤であっても、分岐ブレーカの２次側端子への分岐電路の接続を容易とする分岐ブレーカ用コネクタを提供する。【解決手段】  ハウジング２０の底面２０ａに、電線３を挿入可能な２つの電線挿入孔２１を隣接配置すると共に、電線挿入孔２１同士はハウジング２０内で電気的に接続されており、一方の電線挿入孔２１に分岐ブレーカ１の２次側端子１２に至る電線３ａが挿入され、他方の電線挿入孔２１に負荷へ至る分岐電路の電線３ｂが挿入される。ハウジング２０には、単相３線式電路の相名が記載されており、接続先の相に合わせたハウジング２０が使用される。【選択図】  図１
2019164911.tif 000002
【特許請求の範囲】
【請求項１】
ハウジングの１端面に、電線を挿入する２つの電線挿入孔を隣接配置すると共に、電線挿入孔同士は前記ハウジング内で電気的に接続されて成り、
一方の電線挿入孔に分岐ブレーカの２次側端子に至る電線が挿入される一方、他方の電線挿入孔には負荷へ至る分岐電路の電線が挿入されることを特徴とする分岐ブレーカ用コネクタ。
【請求項２】
前記ハウジングには、単相３線式電路に対応する相名が表示されており、接続先の相に合致した相名が表示されている前記ハウジングが使用されることを特徴とする請求項１記載の分岐ブレーカ用コネクタ。
【請求項３】
ハウジングの１端面に、電線を挿入する４つの電線挿入孔を隣接配置すると共に、
前記電線挿入孔は、２つの電線挿入孔同士が前記ハウジング内で電気的に接続されて、２組の電線接続を可能とし、
それぞれの組の一方の電線挿入孔に分岐ブレーカの２次側端子に至る電線が挿入される一方、それぞれの組の他方の電線挿入孔には負荷へ至る分岐電路の電線が挿入されることを特徴とする分岐ブレーカ用コネクタ。
【発明の詳細な説明】
【技術分野】
【０００１】
本発明は、分岐ブレーカの２次側端子への分岐電路の接続をし易くするコネクタに関する。
【背景技術】
【０００２】
幅の狭い薄型の分岐ブレーカは、分電盤を大型化すること無く多数の分岐電路を形成できるため普及が進んでいる。
例えば、特許文献１に記載の分電盤では、小型の分電盤で有りながら、幅が１０ｍｍ程度の分岐ブレーカを組み付けることで、多くの分岐電路の形成を可能としている。
【先行技術文献】
【特許文献】
【０００３】
【特許文献１】特開２０１１−２４９０３７号公報
【発明の概要】
【発明が解決しようとする課題】
【０００４】
薄型の分岐ブレーカを使用することで、特許文献１に示すように多数の分岐電路を設けることができたが、組み付けられた分岐ブレーカにはそれぞれ分岐電路を形成する２次側の配線が成される。この２次側の配線は、隣接する分岐ブレーカが近接して配置されているし、分電盤自体も小型なため、狭い空間での密度の高い配線となり、配線作業が作業者の負担となっていた。
【０００５】
そこで、本発明はこのような問題点に鑑み、薄型の分岐ブレーカが多数組み付けられた分電盤であっても、分岐ブレーカの２次側端子への分岐電路の接続を容易とする分岐ブレーカ用コネクタを提供することを目的としている。
【課題を解決するための手段】
【０００６】
上記課題を解決する為に、請求項１の発明に係る分岐ブレーカ用コネクタは、ハウジングの１端面に、電線を挿入する２つの電線挿入孔を隣接配置すると共に、電線挿入孔同士はハウジング内で電気的に接続されて成り、一方の電線挿入孔に分岐ブレーカの２次側端子に至る電線が挿入される一方、他方の電線挿入孔には負荷へ至る分岐電路の電線が挿入されることを特徴とする。
この構成によれば、分岐電路の電線は直接分岐ブレーカに接続せず、分岐ブレーカ用コネクタに接続すれば良いため、薄型の分岐ブレーカが使用されて分岐ブレーカの２次側端子周辺の配線エリアが狭く接続し辛くても、分岐ブレーカへの分岐電路の接続を無理なく実施できる。加えて、連結する２つの電線を挿入する電線挿入孔を同一面に隣接して形成することで、コネクタのハウジングを小型にでき省スペースで分電盤に収容できる。
【０００７】
請求項２の発明は、請求項１に記載の構成において、ハウジングには、単相３線式電路に対応する相名が表示されており、接続先の相に合致した相名が表示されているハウジングが使用されることを特徴とする。
この構成によれば、ハウジングに記載された相名と接続先分岐ブレーカの相名を合わせることで、接続先の分岐ブレーカの相をハウジングから把握でき、電線の接続先をたどって確認する必要がない。
【０００８】
請求項３の発明に係る分岐ブレーカ用コネクタは、ハウジングの１端面に、電線を挿入する４つの電線挿入孔を隣接配置すると共に、電線挿入孔は、２つの電線挿入孔同士がハウジング内で電気的に接続されて、２組の電線接続を可能とし、それぞれの組の一方の電線挿入孔に分岐ブレーカの２次側端子に至る電線が挿入される一方、それぞれの組の他方の電線挿入孔には負荷へ至る分岐電路の電線が挿入されることを特徴とする。
この構成によれば、分岐電路の電線は直接分岐ブレーカに接続せず、分岐ブレーカ用コネクタに接続すれば良いため、薄型の分岐ブレーカが使用されて分岐ブレーカの２次側端子周辺の配線エリアが狭く接続し辛くても、分岐ブレーカへの分岐電路の接続を無理なく実施できる。更に、分岐ブレーカへの２本の電線の接続を１つのコネクタで実施でき、部材を削減できる。加えて、２組の電線挿入孔を同一面に隣接して形成することで、ハウジングを小型にでき省スペースで分電盤に収容できる。
【発明の効果】
【０００９】
本発明によれば、分岐電路の電線は直接分岐ブレーカに接続せず、分岐ブレーカ用コネクタに接続すれば良いため、薄型の分岐ブレーカが使用されて分岐ブレーカの２次側端子周辺の配線エリアが狭く接続し辛くても、分岐ブレーカへの分岐電路の接続を無理なく実施できる。
【図面の簡単な説明】
【００１０】
【図１】本発明に係る分岐ブレーカ用コネクタの一例を示し、分岐ブレーカに接続した状態を示す説明図である。
【図２】図１に示す分岐ブレーカ用コネクタを示し、（ａ）は電線挿入口方向から見た斜視図、（ｂ）は正面図である。
【図３】Ａ−Ａ線断面図である。
【図４】分岐ブレーカ用コネクタの他の形態を示す斜視図である。
【図５】図４の分岐ブレーカ用コネクタの底面図である。
【発明を実施するための形態】
【００１１】
以下、本発明を具体化した実施の形態を、図面を参照して詳細に説明する。図１は本発明に係る分岐ブレーカ用コネクタ（以下、単に「コネクタ」と称する。）の一例を示し、分岐ブレーカに接続した状態を示している。１は分岐ブレーカ、２（２ａ，２ｂ）はコネクタ、３（３ａ，３ｂ）は電線、Ｌは電線３ｂを収容して分岐電路を構成しているケーブルである。
【００１２】
分岐ブレーカ１は、背面に電源側端子（１次側端子）１１、前面に負荷側端子（２次側端子）１２が配置され、上面にオン／オフ操作する操作ハンドル１３が配置されて、幅が略１０ｍｍと薄型に形成されている。
１次側端子１１は、分電盤内に配設されている単相３線から成る主電路であるバスバー（図示せず）を把持して連結する速結端子で形成され、２次側端子１２は電線挿入孔１２ａを有して挿入された電線３を内部で図示しない端子金具が挟持して連結する速結端子となっている。尚、分電盤に組み付けられた状態では、操作ハンドル１３が配置された上面が、分電盤前方を向く。
【００１３】
図２，３はコネクタ２を示し、図２（ａ）は電線挿入口方向から見た斜視図、図２（ｂ）は正面図、図３はＡ−Ａ線断面図である。
コネクタ２は、図２に示すように合成樹脂製のハウジング２０の１端面である底面２０ａに２つの電線挿入孔２１が隣接して配置されている。そして、ハウジング２０の内部には、図３に示すように連結金具２２が配置されている。
この連結金具２２は、挿入される電線３の導体Ｐに密着する２つの溝を有してＭ字状に折り曲げ形成され、平行する２つの電線挿入空間２１ａを形成している。電線挿入孔２１からこの電線挿入空間２１ａに電線３の導体Ｐを挿入すると、連結金具２２により電線３同士は電気的に接続される。
【００１４】
また、ここでは図１に示す一方のコネクタ２ａを示しており、「Ｎ」の文字が表示されたコネクタ２ａを示している。ハウジング２０には、このように接続先の相名が表示されたものが使用され、他方のコネクタ２ｂには「Ｌ１」が表示されたハウジング２０が使用されている。
【００１５】
分電盤内に配設されている主電路は、２つの電圧相Ｌ１，Ｌ２と中性相Ｎから成る３相（３線）から成る電路で構成されており、分岐ブレーカ１はこの３つの相の何れか２つの相に接続されて使用される。そのため、３種類のハウジング２０が用意され、ここでは中性相を示す「Ｎ」が表示されたコネクタ２ａと、一方の電圧相を示す「Ｌ１」が表示されたコネクタ２ｂが使用されている。
【００１６】
上記の如く構成されたコネクタ２は、以下のような手順で装着される。図１に基づいて説明する。まず、「Ｎ」が表示されているコネクタ２ａを使用して、一方の電線挿入孔２１に５０ｍｍ等に切断した電線３ａの一端を挿入して接続し、この電線３ａの他端を分電盤に組み付けられている分岐ブレーカ１の２次側端子１２のうちのＮ相の電線挿入孔１２ａに挿入して接続する。また、「Ｌ１」が表示されたハウジング２０を使用して、同様に５０ｍｍ程度に切断した電線３ａの一端を接続し、他端を分岐ブレーカ１のＬ１相の２次側端子１２に接続する。
尚、他方の電圧相Ｌ２を使用する場合は、ハウジング２０に「Ｌ２」が表示されたハウジング２０が使用される。
【００１７】
こうして、個々の分岐ブレーカ１の２次側端子１２に２つのコネクタ２が接続されたら、このコネクタ２の他方の電線挿入孔２１に分岐電路のケーブルＬの電線３ｂがそれぞれ接続される。この結果、図１に示すようにコネクタ２は分岐ブレーカ１の２次側端子１２とケーブルＬとの間に介在される。
【００１８】
このように、分岐電路を構成するケーブルＬの電線３ｂは、直接分岐ブレーカ１に接続せず、コネクタ２に接続すれば良いため、薄型の分岐ブレーカ１が使用されて分岐ブレーカ１の２次側端子１２周辺の配線エリアが狭く接続し辛くても、分岐ブレーカ１への分岐電路の接続を無理なく実施できる。加えて、連結する２つの電線３を挿入する電線挿入孔２１を同一面に隣接して形成することで、ハウジング２０を小型にでき省スペースで分電盤に収容できる。
また、ハウジング２０に表示された相名と接続先分岐ブレーカ１の相名を合わせることで、接続先の分岐ブレーカ１の相をハウジング２０から把握でき、電線３ａの接続先をたどって確認する必要がない。
【００１９】
尚、ハウジング２０の電圧相の表示を「Ｌ１」、「Ｌ２」の２種類としているが、双方を「Ｌ」の１種類で表示しても良い。
また、分岐ブレーカ１の縦配置された２次側端子１２のうち、下側の端子のみコネクタ２を使用しても良く、装着する分岐ブレーカ１に予めコネクタ２を接続しておくことで、分岐電路Ｌの接続は容易となる。
【００２０】
図４，５はコネクタ２の他の形態を示し、図４は電線３を接続した状態の斜視図、図５は底面図である。上記形態は一対の電線３を連結する構成であるのに対して、このコネクタ（以下、「ダブルコネクタ」とする）２ｃは、２対の電線３をそれぞれ連結するよう構成されている。即ち、上記形態のコネクタ２を２個一体化した構成となっている。
【００２１】
具体的に、ダブルコネクタ２ｃは、そのハウジング３０の１端面である底面３０ａに４つの電線挿入孔３１が隣接する部位に設けられ、対を成す電線挿入孔３１の組が対峙するように平行に配置されている。対を成す電線挿入孔３１には、上記ハウジング２０と同様に連結金具３２が内部に配置されて電線挿入空間３１ａを形成している。この結果、対を成す電線挿入孔３１に挿入された電線３は互いに電気的に接続される。
また、電線挿入孔３１の組と組との間となるハウジング底面３０ａの中央には、隔離壁３３が突設されており、電線３同士の接触を防止している。
【００２２】
このように、分岐電路の電線３ｂは直接分岐ブレーカ１に接続せず、ダブルコネクタ２ｃに接続すれば良いため、薄型の分岐ブレーカ１が使用されて分岐ブレーカ１の２次側端子周辺の配線エリアが狭く接続し辛くても、分岐ブレーカ１への分岐電路の接続を無理なく実施できる。更に、分岐ブレーカ１への２本の電線３ｂの接続を１つのコネクタ２で実施でき、部材を削減できるし、２組の電線挿入孔３１を同一面に隣接して形成することで、ハウジング３０を小型にでき省スペースで分電盤に収容できる。
【００２３】
尚、４端子を備えたダブルコネクタ２ｃには相名を表示していないが、「Ｎ，Ｌ１」、「Ｎ，Ｌ２」、「Ｌ１，Ｌ２」をハウジング３０に表示した３種類のダブルコネクタ２ｃを用意しても良い。
【符号の説明】
【００２４】
１・・分岐ブレーカ、２（２ａ，２ｂ，２ｃ）・・分岐ブレーカ用コネクタ、３（３ａ，３ｂ）・・電線、１２・・２次側端子、２０・・ハウジング、２０ａ・・底面（端面）、２１・・電線挿入孔、２１ａ・・電線挿入空間、２２・・連結金具、３０・・ハウジング、３０ａ・・底面（端面）３１・・電線挿入孔、３１ａ・・電線挿入空間、３２・・連結金具。
【図１】
2019164911.tif 000003
【図２】
2019164911.tif 000004
【図３】
2019164911.tif 000005
【図４】
2019164911.tif 000006
【図５】
2019164911.tif 000007